(57)【要約】      （修正有）【課題】小型化及びコンパクト化が出来且つ、洗浄位置が安定したノズルユニットを構成し、ケーシングと取付けることが出来る衛生洗浄装置を提供する。【解決手段】給水口から洗浄水を取り込む給水手段と、洗浄水に脈動を付加する脈動発生手段４０と、脈動発生手段４０から供給される洗浄水を複数の流路に選択的に供給する流調流路切換弁４２と、脈動発生手段４０によって脈動を付加された洗浄水を人体に噴出する洗浄ノズル４４と、洗浄ノズル４４を出し入れするノズル駆動手段５０と、脈動発生手段４０、流調流路切換弁４２及び洗浄ノズル４４とが取り付けられるノズルマウント５５とノズルマウント５５を収納するケーシングを備えた衛生洗浄装置であって、洗浄ノズル４４が取付けられているノズルマウント５５に、脈動発生手段４０及びノズル駆動手段５０の重心が洗浄ノズル４４の伸出方向の軸に対し対称に取付けられている。【選択図】図５
2012207498.tif 000002
【特許請求の範囲】
【請求項１】
給水口から洗浄水を取り込む給水手段と、洗浄水に脈動を付加する脈動発生手段と、前記脈動発生手段から供給される洗浄水を複数の流路に選択的に供給する流調流路切換弁と、前記脈動発生手段によって脈動を付加された洗浄水を人体に噴出する洗浄ノズルと、前記洗浄ノズルを出し入れするノズル駆動手段と、前記脈動発生手段、前記流調流路切換弁及び前記洗浄ノズルとが取り付けられるノズルマウントと前記ノズルマウントを収納するケーシングを備えた衛生洗浄装置であって、
前記洗浄ノズルが取付けられている前記ノズルマウントに、前記脈動発生手段及び前記ノズル駆動手段の重心が前記洗浄ノズルの伸出方向の軸に対し対称に取付けられていることを特徴とする衛生洗浄装置。
【請求項２】
前記脈動発生手段は、洗浄水の給水経路の一部をなすシリンダと、前記シリンダ内で往復運動し、その往復運動により洗浄水の流れに対して脈動を起こして洗浄水を前記シリンダ下流に圧送するプランジャと、前記プランジャを往復運動させる電磁ソレノイドと、前記ソレノイドを励磁する励磁手段と前記プランジャに設けられ、下流側への洗浄水の通過を許容する逆止弁とを有し、
前記脈動発生手段の往復運動の方向が前記洗浄ノズルに対し並行に取り付けられている請求項１に記載の衛生洗浄装置。
【請求項３】
前記脈動発生手段、前記流調流路切換弁が、前記洗浄ノズルの伸出方向の軸に対し、給水手段が設置される側に取り付けられたことを特徴とする請求項１または２に記載の衛生洗浄装置。
【請求項４】
前記脈動発生手段と前記流調流路切換弁は一体化され、防振部材を介してノズルマウントに取り付けられたことを特徴とする請求項１〜３のいずれか１つに記載の衛生洗浄装置。
【発明の詳細な説明】
【技術分野】
【０００１】
本発明は、加熱された洗浄水を人体に向け吐出する衛生洗浄装置に関する発明である。
【背景技術】
【０００２】
従来、人体の局部を洗浄する衛生洗浄装置がよく知られている。この種の衛生洗浄装置では、熱交換器により温水化された洗浄水に脈動を付加させ、少ない洗浄水量で洗浄感と洗浄力を得るための脈動発生手段を備える。また洗浄水を人体に吐出する洗浄ノズルを収納位置と洗浄位置との間で進退させるようになされている。非使用時には洗浄ノズルをケーシング内の収納位置に収め、使用時には洗浄水の吐出方向が便座に着座した使用者に向かう方向となるような洗浄位置に洗浄ノズルをノズル駆動手段によって移動することで使用の便宜を図っている。また、洗浄ノズルのノズル駆動手段による進退の利用により、洗浄中に洗浄ノズルを微小距離移動させて洗浄位置を変えながら洗浄するような態様（いわゆるムーブ洗浄）を採用した衛生洗浄装置も製品化されている。
【０００３】
このように、衛生洗浄装置において洗浄ノズルを伸出させるために、位置調節用モータ等のノズル駆動手段が用いられるが、例えば位置調節用モータを使用した場合、高トルクのものが必要になり、位置調節用モータのサイズは比較的大きなものとなる。従って収納上、極めて大きな収納スペースを必要としていた。
【０００４】
これに対し、特許文献１のように、脈動発生手段であるポンプ・流量調整弁・ノズル駆動手段・洗浄ノズルが支持部材を介し、ユニットとして一体化することで、小型化及びコンパクト化、更には組み立て性を向上させている。
【０００５】
しかしながら、特許文献１に開示された技術においては、ノズル駆動手段が洗浄ノズル又は洗浄ノズルが取り付けられているノズルマウントの直下にノズル駆動手段が収納されている構成のため、洗浄ノズルの高さをノズル駆動手段の取付け高さ以下にする構造をとれない懸念があった。
また洗浄ノズルが取り付けられているノズルマウントの側面に重量のあるノズル駆動手段を取付けるとノズルの重心が駆動手段側に偏り、洗浄位置に影響を与える懸念があった。
【先行技術文献】
【特許文献】
【０００６】
【特許文献１】特開２００４−１００２５５号公報
【発明の概要】
【発明が解決しようとする課題】
【０００７】
小型化及びコンパクト化が出来且つ、洗浄位置が安定したノズルユニットを構成し、ケーシングと取付けることが出来る衛生洗浄装置を提供することを目的とする。
【課題を解決するための手段】
【０００８】
本発明によれば、給水口から洗浄水を取り込む給水手段と、洗浄水に脈動を付加する脈動発生手段と、脈動発生手段から供給される洗浄水を複数の流路に選択的に供給する流調・流路切換弁と、脈動発生手段によって脈動を付加された洗浄水を人体に噴出する洗浄ノズルと、洗浄ノズルを出し入れするノズル駆動手段と、脈動発生手段、前記流調・流路切換弁及び洗浄ノズルとを一体的に構成するノズルマウントと、ノズルマウントを収納するケーシングを備えた衛生洗浄装置であって、洗浄ノズルが取付けられているノズルマウントに、脈動発生手段及びノズル駆動手段の重心が洗浄ノズルの伸出方向の軸に対し対称に取付けられた構成である。
【０００９】
第１の発明によれば給水口から洗浄水を取り込む給水手段と、洗浄水に脈動を付加する脈動発生手段と、前記脈動発生手段から供給される洗浄水を複数の流路に選択的に供給する流調流路切換弁と、前記脈動発生手段によって脈動を付加された洗浄水を人体に噴出する洗浄ノズルと、前記洗浄ノズルを出し入れするノズル駆動手段と、前記脈動発生手段、前記流調流路切換弁及び前記洗浄ノズルとを一体的に構成するノズルマウントと、前記ノズルマウントを収納するケーシングを備えた衛生洗浄装置であって、前記洗浄ノズルが取付けられている前記ノズルマウントに、前記脈動発生手段及び前記ノズル駆動手段の重心が前記洗浄ノズルの伸出方向の軸に対し対称に取付けられていることを特徴とする。
【００１０】
この脈動発生手段及びノズル駆動手段の取付け構造によれば、ノズル駆動手段が洗浄ノズルに対し左右どちらかの側面に置くことができる。そのためノズルの高さ方向の制約がなくなり、衛生洗浄装置の小型化及びコンパクト化が容易になる。また、ノズルマウントを介し、洗浄ノズル、脈動発生手段及びノズル駆動手段をユニットとして一体的に取り扱うことができるので、衛生洗浄装置の組み立て性の向上が図られるとともに検査工程が容易になる。
またケーシングに上記構成部品の重心がノズルマウントを介し対称にとりつくことで、洗浄ノズル伸出時の左右方向のガタツキが軽減され、快適な吐水を提供することができる。
【００１１】
また、第２の発明によれば脈動発生手段は、洗浄水の給水経路の一部をなすシリンダと、前記シリンダ内で往復運動し、その往復運動により洗浄水の流れに対して脈動を起こして洗浄水を前記シリンダ下流に圧送するプランジャと、前記プランジャを往復運動させる電磁ソレノイドと、前記ソレノイドを励磁する励磁手段と前記プランジャに設けられ、下流側への洗浄水の通過を許容する逆止弁とを有し、前記脈動発生手段の往復運動の方向が前記洗浄ノズルに対し並行に取り付けられていることを特徴とする。
【００１２】
脈動発生手段の振動方向が洗浄ノズルの伸出方向に対し並行に取り付けられることによって脈動発生手段から発生した振動による洗浄吐水の左右ブレを極力小さくすることができる。
【００１３】
また第３の発明によれば、脈動発生手段、流調・流路切換弁が洗浄ノズルの伸出方向の軸に対し、給水手段が設置される側に取り付けられたことを特徴とする。
【００１４】
流調流路切換弁が洗浄ノズルの伸出方向の軸に対し、給水手段が設置される側に取り付けられたことにより、脈動発生手段から洗浄ノズルまでの流路が最短となるので、脈動発生手段によって洗浄水に付加された脈動が減衰し難くなり、洗浄水に脈動を付加することによって生成される快適な洗浄を使用者に提供することができる。
【００１５】
また、第４の発明によれば、脈動発生手段と流調・流路切換弁は一体化され、防振部材を介してノズルマウントに取り付けられたことを特徴とする。
【００１６】
脈動発生手段と流調流路切換弁が一体化されたことにより、振動源となる脈動発生手段に対し重量が増加する。そのため振動源の固有振動数が脈動発生手段単体時よりも大きくなり、抑振効果となる。
【発明の効果】
【００１７】
本発明の態様によれば、小型化及びコンパクト化が出来且つ、洗浄位置が安定したノズルユニットを構成し、ケーシングと取付けることが出来る衛生洗浄装置の提供が提供される。
【図面の簡単な説明】
【００１８】
【図１】本発明の実施形態にかかる衛生洗浄装置が備えられたトイレ装置の模式斜視図である。
【図２】本実施の形態にかかる衛生洗浄装置の水路構成を表すブロック図である。
【図３】脈動発生手段の構成を表す断面図である。
【図４】脈動発生装置４０による洗浄水の流れの様子を説明する説明図である。
【図５】本実施の形態にかかる脈動発生装置４０、流調流路切替弁４２、ノズル駆動装置５０、洗浄ノズル４４のノズルマウント５５への搭載の様子を表す概略上視図である。
【図６】本装置の形態にかかるノズルマウント５５を表す斜視図である。
【図７】本装置に形態にかかるノズル駆動手段５０を表す斜視図である。
【図８】本装置の形態にかかる脈動発生装置４０と流調流路切替弁４２を一体構成にした脈動流調ユニットを表す概略斜視図である。
【発明を実施するための形態】
【００１９】
以下、図面を参照しつつ、本発明の実施の形態に係る衛生洗浄装置について説明する。なお、各図面中、同様の構成要素については同一の符号を付して詳細な説明は適宜省略する。
【００２０】
図１は本発明の実施形態にかかる衛生洗浄装置１１が備えられたトイレ装置の様式斜視図である。このトイレ装置は、便器１０と、その上に設置された衛生洗浄装置１１とを有する。衛生洗浄装置１１のケーシング１２には開閉可能に軸支された便座１３と便ふた１４を有する。使用者は便座１４の上に腰掛け、局部洗浄の際にはケーシング１２に内臓された洗浄ノズル４４が伸出し、洗浄ノズル４４から吐水された水で局部を洗浄する。
【００２１】
図２は、本実施の形態にかかる衛生洗浄装置の水路構成を表すブロック図である。図２に示すように、衛生洗浄装置の水路系は、外部給水源３０と接続される給水部３５と熱交換器３８と脈動発生装置４０を備える。そして、脈動発生装置４０から流調・流路切替弁４２を経て洗浄ノズル４４に、脈動発生装置４０により付与された脈動を保った洗浄水が導かれ、前記洗浄ノズル４４から吐水される。
【００２２】
図３の脈動発生手段の構成を表す断面図により、脈動発生手段４０を説明する。脈動発生手段４０は図３に示すように、給水菅路７０、７５に接続されるシリンダ４０aにプランジャ４０ｂを褶動自在に備える。そしてこのプランジャ４０ｂを電磁コイル４０ｃの励磁制御により、上流側・下流側に進退させる。プランジャ４０ｂは、電磁コイル４０ｃの励磁により図示する原位置（プランジャセット位置）から下流側に移動するが、コイルの励磁が消えると、下バネ４０ｅの復帰力を受けて原位置に復帰する。この際、上バネ４０ｄでプランジャ４０ｂの動作が緩衝される。
【００２３】
プランジャ４０ｂは、その内部にエラストマー製の逆止弁４０ｆを有するので、プランジャ原位置から下流側への移動の際には、シリンダ４０a内の洗浄水を加圧して給水菅路７５に押し流す。この際、プランジャ原位置は一定であることから、一定量の洗浄水が給水菅路７５に送られることになる。その後、原位置に復帰する際には逆止弁４０ｆを経てシリンダ４０ｂ内に洗浄水が流れ込むので、次回のプランジャ４０ｃの下流側移動により、改めて一定量の洗浄水が給水菅路７５に送られることになる。しかも、プランジャ原位置復帰の際には、プランジャ４０ｂ下流側、即ち給水菅路７０の洗浄水の引き込みが起こるので、この脈動発生装置４０はプランジャ４０ｂの往復動に伴って圧力が周期的に上下変動する脈動を引き起こし、洗浄水を脈動流の状態で給水菅路７５に流す。
【００２４】
図４は、脈動発生装置４０による洗浄水の流れの様子を説明する説明図である。この場合、脈動発生装置４０によって発生した脈動流は図４に示すように、脈動発生装置４０への導入水圧Ｐin（一次圧）を中心に脈動した圧力で脈動発生装置４０から給水菅路７５、ひいては洗浄ノズル４４に送られて局部に吐水される。しかも脈動発生装置４０からその下流に送られる洗浄水圧は上記のようにプランジャ４０ｂの原位置復帰の際の逆止弁４０ｆを経たシリンダ４０ａ内への洗浄水流れ込みにより、ゼロとなることはない。この洗浄水圧の脈動推移は洗浄水流量の推移に反映する。この場合、脈動の中心となる上記の導入水圧Ｐinは給水部３０によって調圧されるので脈動を図４に示す軌跡のまま上下にシフトしたものとできる。
【００２５】
この図４に見られる脈動周期MTは脈動発生コイル４０ｃの励磁周期に同期し、この励磁周期の変更制御を通して種々設定可能である。しかも洗浄水の脈動流発生にプランジャ４０ｃ往復動のためのコイルの励磁だけで済むので、脈動発生装置４０の構成を簡単にすることができる。
【００２６】
図５は本発明の実施形態にかかる脈動発生装置４０、流調流路切替弁４２、洗浄ノズル４４及びノズル駆動手段５０がノズルマウント５５を介して取り付けられた状態を上視した状態を示している。図６は、本装置の形態にかかるノズルマウント５５を表す斜視図である。図７は、本装置の形態にかかる脈動発生装置４０と流調流路切替弁４２を一体構成にした脈動流調ユニットを表す概略斜視図である。
【００２７】
図６に示すように、洗浄ノズル４４はノズルマウント５５に設けられている案内レール部５５aに沿うように設置される。図７に示すようにノズル駆動手段５０はノズル駆動モータ５０ａと前記ノズル駆動モータ５０aの回転が伝達されるピニオン５０ｂとアウトプットギア５０cとケーブルラック（図示せず）とを有し、前記ノズルマウント５５に設けられているフランジ５５ｆ上でネジによって止められている。ケーブルラックは洗浄ノズル４４に連結されており、ノズル駆動モータ50ａの正逆回転によるアウトプットギア５０ｃの回転によりその伸出長を変化させる。よって前記洗浄ノズル４４はノズル駆動モータ５０aの回転に応じて、収納位置と洗浄位置との間を案内レール部５５ａに沿うようにして前後に進退駆動する。
【００２８】
また、ノズルマウント５５底面には防振ゴム（図示せず）が取り付けられている。ノズルマウント５５は差し込み穴５５ｄ、５５ｅにケーシング１２に設けた図示しない突出部を差し込むことにより、ケーシング１２に対し取り付けられる。
【００２９】
さて、脈動発生装置４０、流調流路切替弁４２は図８に図示するように、脈動発生装置４０の吐出側と流調・流路切替弁４２の流入側の役割を持った接続部材４０ｇによって脈動発生・流調ユニット６０として一体化接続される。この場合、接続部材４０ｇ上に脈動発生・流調ユニット６０の重心が存在し、フランジ４０ｈによってノズルマウント５５に取り付けられる。このようにユニットとして一体化し、振動源の質量を大きくすることに加えて、部材数削減によるコスト低下といった製造上の利点があり、装置の小型化も図ることができる。
【００３０】
また脈動発生装置４０と流調・流路切替弁４２にはフランジ４０ｋフランジ４２ｋをそれぞれ設けられている。前記各フランジ４０ｋ、４２ｋは防振ゴム（図示せず）を介し、ノズルマウント５５上のボス５５ｂ、５５ｃに設置される。この防振ゴムの制振作用により、脈動発生に伴う振動を抑制できると共に、振動による異音発生も抑制できる。
【００３１】
さらに洗浄ノズル摺動方向１００に対し、脈動発生・流調ユニット６０を並行に取り付けることによって、脈動発生装置４０のプランジャ４０ｂの摺動方向が洗浄ノズル摺動方向１００に対し並行となるので、使用者が局部を洗浄する際、洗浄ノズル４４から吐出される洗浄水に対し、前述したプランジャ４０ｂの摺動によって起こる振動による吐水のブレを抑えることができる。
【００３２】
脈動・流調ユニット６０の重心に対しノズル駆動手段５０の重心は、洗浄ノズル摺動方向１００を軸に対称に設置される。このことによりノズルマウント５５がケーシング１２に防振ゴムを介し設置される際に、前後左右のバランスを損ねることがなくなる。また取り付けによる洗浄ノズル４４伸出時の左右ブレを抑えることができる。
【００３３】
以上本発明の実施例について説明したが、本発明は上記の実施例や実施形態になんら限定されるものではなく、本発明の要旨を逸脱しない範囲において種々なる態様で実施し得る事は勿論である。
【符号の説明】
【００３４】
１０    便器
１１    衛生洗浄装置
１２    ケーシング
１３    便座
１４    便ふた
３０    外部給水源
３５    給水部
３８    熱交換器
４０    脈動発生装置
４０ａ  シンリンダ
４０ｂ  プランジャ
４０ｃ  脈動発生コイル
４０ｄ  上バネ
４０ｅ  下バネ
４０ｆ  逆止弁
４０ｇ  接続部材
４０ｈ  フランジ
４０ｋ  フランジ
４０ｋ  フランジ
４２    流調・流路切換弁
４４    洗浄ノズル
５０    ノズル駆動手段
５０ａ  ノズル駆動モータ
５０ｂ  ピニオン
５０ｃ  アウトプットギア
５５    ノズルマウント
５５ａ  案内レール部
５５ｂ  ボス
５５ｃ  ボス
５５ｄ  差し込み
５５ｅ  差し込み
５５ｆ  フランジ
６０    脈動・流調ユニット
１００  洗浄ノズル摺動方向
【図１】
2012207498.tif 000003
【図２】
2012207498.tif 000004
【図３】
2012207498.tif 000005
【図４】
2012207498.tif 000006
【図５】
2012207498.tif 000007
【図６】
2012207498.tif 000008
【図７】
2012207498.tif 000009
【図８】
2012207498.tif 000010